【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
底部、前記底部上に配置される複数の側壁部を含み、前記底部の上面の一部と前記複数の側壁部の内側面とで構成されるキャビティを含む胴体；
前記底部の上面上に、互いに離隔して配置される第２電極、第３電極及び前記第２電極と前記第３電極との間に配置される第１電極；
前記第１電極上に配置される発光素子；
前記底部の上面から前記胴体の下面に向かって前記胴体の一部の領域まで配置される放熱部材；
前記胴体の下面に互いに離隔して配置される第１パッド、第３パッド、及び前記第１パッドと前記第３パッドとの間に配置される第２パッド；および
前記底部を貫通して前記発光素子および前記第１パッドと電気的に連結される連結部材を含み、
前記複数の側壁部は第１方向に沿って配置される第１側壁部、および第２側壁部、前記第１方向に垂直な第２方向に沿って配置される第３側壁部、および第４側壁部を含み、
前記第２電極は、前記第２側壁部に隣接して配置され前記第１方向に延びる第１部、及び前記第４側壁部に隣接して配置されて前記第１部から前記第２方向に延びる第２部を含み、
前記第３電極は、前記第１側壁部に隣接して配置され前記第１方向に延びる第３部、及び前記第３側壁部に隣接して配置され前記第３部から前記第２方向に延びる第４部を含み、
前記第１電極は前記第２部及び前記第４部と前記第２方向に重なるパッド部、および前記パッド部から前記第２部と前記第３部との間に延びる延長部を含み、
前記発光素子は前記パッド部上に配置され、
前記延長部は前記連結部材を介して前記胴体の下面に配置された第１パッドと電気的に連結され、
前記連結部材は、前記放熱部材と互いに離隔され、
前記放熱部材と前記第２パッドは、互いに離隔された発光素子パッケージ。
【請求項２】
請求項１において、
前記発光素子は、前記第１側壁部と向き合う第１側面、前記第２側壁部と向き合う第２側面、前記第３側壁部と向き合う第３側面及び前記第４側壁部と向き合う第４側面を含み、
前記第２電極は、前記発光素子の第２側面と前記発光素子の第４側面が会う領域に配置される第１折曲部を含み、
前記第１部は、前記第１折曲部において、前記発光素子の第２側面に沿って延長され、
前記第２部は、前記第１折曲部において、前記発光素子の第４側面に沿って延長され、
前記第３電極は、前記発光素子の第１側面と前記発光素子の第３側面が会う領域に配置される第２折曲部を含み、
前記第３部は、前記第２折曲部において、前記発光素子の第１側面に沿って延長され、
前記第４部は、前記第２折曲部において、前記発光素子の第３側面に沿って延長され、
前記第１折曲部及び前記第２折曲部は、前記第１電極と前記第１方向及び前記第２方向にそれぞれずれて配置される発光素子パッケージ。
【請求項３】
請求項１において、
前記放熱部材、前記発光素子および前記第２パッドは前記底部の上面から前記胴体の下面に向かう方向に重なる発光素子パッケージ。
【請求項４】
請求項１において、
前記第１乃至第３電極と離隔配置される第４電極及び第５電極を含み、
前記第４電極及び前記第５電極の面積は、前記第１乃至第３電極の面積より少ない発光素子パッケージ。
【請求項５】
請求項４において、
前記第３側壁部の中心と第４側壁部の中心を貫通する仮想線は、前記第４電極と前記第５電極との間に配置され、
前記仮想線を基準に前記第４電極の形状と前記第５電極の形状は、対称である発光素子パッケージ。
【請求項６】
請求項４において、
前記第４電極と前記第５電極のうちの少なくとも一つと電気的に連結されるツェナーダイオードを含む発光素子パッケージ。
【請求項７】
請求項２において、
前記キャビティは、第１部の内側面が前記第１方向に延びる第１仮想線、前記第２部の内側面が前記第２方向に延びる第２仮想線、前記第３部の内側面が前記第１方向に延びる第３仮想線、及び前記第４部の内側面が前記第２方向に延びる第４の仮想線で構成される四角形を含み、
前記延長部は、前記長方形の外側に延びる、発光素子パッケージ。
【請求項８】
請求項１において、
前記キャビティは、投光基板が配置される段差部を含む発光素子パッケージ。
【請求項９】
請求項１において、
前記放熱部材は、前記第１電極と接触し前記第２パッドと離隔されている発光素子パッケージ。
【請求項１０】
請求項９において、
前記放熱部材は前記第１電極と接触する第１放熱部、および前記第１放熱部と前記胴体の下面との間に配置される第２放熱部を含み、
前記第１放熱部の第１方向の幅は、前記第２放熱部の第１方向の幅より小さい発光素子パッケージ。
【請求項１１】
請求項１において、
前記第２パッドの第１方向の幅は、前記第１パッド及び前記第３パッドの第１方向の幅より大きい、発光素子パッケージ。
【請求項１２】
上面と下面、及び前記上面から前記下面に凹んだキャビティを含む胴体；
前記キャビティの底面上で、水平方向に互いに離隔して配置される第２電極、第３電極及び前記第２電極と前記第３電極との間に配置される第１電極；
前記第１電極上に配置される発光素子；
前記キャビティの底面から前記胴体の下面に向かって、前記胴体の一部領域まで配置され、前記水平方向の幅が互いに異なる第１放熱部及び第２放熱部を含む放熱部材；と
前記胴体の下面から前記水平方向に互いに離隔して配置される第１パッド、第３パッド及び前記第１パッドと前記第３パッドとの間に配置される第２パッド；を含み、
前記キャビティは、互いに異なる方向に延びる複数の側壁部を含み、
前記第２電極及び前記第３電極は、前記複数の側壁部のうちの少なくとも二つの側壁部に沿って、それぞれ延長されて配置され、
前記第１電極は、前記発光素子が配置されるパッド部、及び前記第２電極の一端部と前記第３電極の一端部との間に延びる延長部を含み、
前記延長部は、前記胴体の内部に配置された連結部材を介して前記第１パッドと電気的に連結され、
前記連結部材は、前記放熱部材と前記水平方向に離隔され、
前記放熱部材、発光素子、及び前記第２パッドは、垂直方向に重なり、
前記垂直方向は、前記水平方向に垂直な方向であり、
前記放熱部材と前記第２パッドは、前記垂直方向に互いに離隔した発光素子パッケージ。
【請求項１３】
請求項１２において、
前記キャビティは、底面に配置される第１リセス及び第２リセスを含み、
前記第１リセスと第２リセスは、前記水平方向に重ならない発光素子パッケージ。
【請求項１４】
請求項１３において、
前記キャビティは
互いに向かい合う第１内側面と第２内側面、
互いに向かい合う第３内側面及び第４内側面、および
前記第１内側面の中心と前記第２内側面の中心を貫通する第１仮想線と前記第３内側面の中心と前記第４内側面の中心を貫通する第２仮想線で区画される複数の領域を含み、
前記第２仮想線は、前記水平方向と平行し、
前記複数の領域は、前記第１内側面と前記第４内側面を含む第１領域、第１内側面と前記第３内側面を含む第２領域、前記第３内側面と前記第２内側面を含む第３領域、および前記第２内側面と前記第４内側面を含む第４領域を含み、
前記第１リセスは、前記第１領域に配置され、
前記第２リセスは、前記第３領域に配置される発光素子パッケージ。
【請求項１５】
請求項１４において、
前記第１リセスに配置される第４電極と前記第２のリセスに配置される第５電極を含み、
前記第２仮想線を基準に前記第４電極と前記第５電極の形状は対称である発光素子パッケージ。
【請求項１６】
請求項１４において、
前記第２電極は、前記第１領域および前記第４領域に配置され、
前記第３電極は、前記第２領域および前記第３領域に配置される発光素子パッケージ。
【請求項１７】
請求項１６において、
前記延長部は、前記第１領域に突出した発光素子パッケージ。
【請求項１８】
請求項１７において、
前記延長部は、前記第１リセスと前記第２電極の間に延長される発光素子パッケージ。
【請求項１９】
請求項１６において、
前記第２電極は、前記第１電極を覆うように折り曲げられ、
前記第３電極は、前記第１電極を覆うように折り曲げられている発光素子パッケージ。
【請求項２０】
請求項１６において、
前記発光素子と前記第２電極を電気的に連結する第１ワイヤ、および
前記第１リセスに配置されたツェナーダイオードと前記第３電極を電気的に連結する第２ワイヤを含む発光素子パッケージ。